(57)【要約】【課題】搬送波の電力を増幅するための増幅器の電源を制御し、通信装置の開閉状態によっても搬送波の出力レベルを一定にし、安定した通信を行うことが可能な通信装置を提供する。【解決手段】通信装置が開状態か閉状態かを判断し、通信装置が閉状態である場合には、電力増幅器（５）の電源を起動状態に制御し、通信装置が開状態である場合には、電力増幅器（５）の電源を停止状態に制御する。【選択図】図１
2008271139.tif 000002
【特許請求の範囲】
【請求項１】
搬送波の電力を増幅するための増幅器を有する通信装置であって、
通信装置が開状態か閉状態かを判断し、通信装置が閉状態である場合には、増幅器の電源を起動状態に制御し、通信装置が開状態である場合には、増幅器の電源を停止状態に制御する制御手段を有することを特徴とする通信装置。
【請求項２】
前記制御手段は、
通信装置が閉状態である場合には、増幅器の電源を起動状態に制御し、当該起動状態の増幅器において電力増幅した搬送波をアンテナから出力し、
通信装置が開状態である場合には、増幅器の電源を停止状態に制御し、当該停止状態の増幅器で減衰した搬送波をアンテナから出力することを特徴とする請求項１記載の通信装置。
【請求項３】
通信装置が開状態か閉状態かを検出する開閉検出手段を有し、
前記制御手段は、
前記開閉検出手段により通信装置が開状態か閉状態かを判断することを特徴とする請求項１または２記載の通信装置。
【請求項４】
前記制御手段による制御は、搬送波の出力を開始する際に行うことを特徴とする請求項１から３の何れか１項に記載の通信装置。
【請求項５】
前記搬送波は、ＦＭトランスミッタの搬送波であることを特徴とする請求項１から４の何れか１項に記載の通信装置。
【請求項６】
搬送波の電力を増幅するための増幅器を有する通信装置で行う通信制御方法であって、
通信装置が開状態か閉状態かを判断し、通信装置が閉状態である場合には、増幅器の電源を起動状態に制御し、通信装置が開状態である場合には、増幅器の電源を停止状態に制御する制御工程を、前記通信装置が行うことを特徴とする通信制御方法。
【請求項７】
搬送波の電力を増幅するための増幅器を有する通信装置において実行させる通信制御プログラムであって、
通信装置が開状態か閉状態かを判断し、通信装置が閉状態である場合には、増幅器の電源を起動状態に制御し、通信装置が開状態である場合には、増幅器の電源を停止状態に制御する制御処理を、前記通信装置に実行させることを特徴とする通信制御プログラム。
【発明の詳細な説明】
【技術分野】
【０００１】
本発明は、携帯電話機等の通信装置、その通信装置における通信制御方法及び通信制御プログラムに関し、特に、ＦＭトランスミッタ機能を搭載した通信装置、その通信装置における通信制御方法及び通信制御プログラムに関するものである。
【背景技術】
【０００２】
まず、図３を参照しながら本発明と関連する通信装置における処理動作について説明する。なお、図３は、ＦＭトランスミッタ機能を搭載した通信装置の構成を示す図である。
【０００３】
本発明と関連する従来の通信装置は、図３に示すように、通信装置ＣＰＵ（１０１）と、通信装置制御部（１０２）と、ＦＭトランスミッタ搬送波出力部（１０３）と、ＦＭトランスミッタ用アンテナ（１０４）と、を有して構成し、ＦＭトランスミッタ搬送波出力部（１０３）から出力される搬送波をＦＭトランスミッタ用アンテナ（１０４）から通信装置の外部に出力していた。
【０００４】
なお、上述した図３に示す通信装置は、ＦＭトランスミッタを使用する際に、通信装置の状態が開状態と閉状態とで、ＦＭトランスミッタ用アンテナ（１０４）の効率が異なっていたため、通信装置の開閉状態によっては、ＦＭトランスミッタ用アンテナ（１０４）から出力される搬送波の出力レベルが不安定となり、安定した通信ができなくなる虞がある。
【０００５】
なお、通信装置の開閉状態とは、例えば、折り畳み可能な携帯電話機の場合には、携帯電話機が折り畳まれた状態が閉状態であり、携帯電話機が折り畳まれていない状態が開状態である。
【０００６】
このようなことから、通信装置の開閉状態によっても搬送波の出力レベルを一定に制御し、安定した通信を行うことを可能とするための制御方法の開発が必要視されることになる。
【０００７】
なお、本発明より先に出願された技術文献として、通話状態及び着信待機状態のそれぞれの場合に適合したインピーダンス整合を行うことが可能な折り畳み機構付き携帯端末機について開示された文献がある（例えば、特許文献１参照）。
【０００８】
また、信号増幅手段によってそれぞれ異なる利得を有する複数の信号路のうち最適な信号路を選択することで、入力端子に供給される送信信号に対して利得調整を施すように制御し、各信号増幅手段の消費電力を利得値に応じて最適化できると共に、選択されない信号路中の信号増幅手段を動作させないように制御し、不要な電力消費を抑制することを可能とする技術について開示された文献がある（例えば、特許文献２参照）。
【０００９】
また、変形可能な携帯電話機や、外部機器を着脱可能な携帯電話機において、その変形や着脱によっても、法規定された電界強度の上限値を超えないようにした携帯電話機について開示された文献がある（例えば、特許文献３参照）。
【特許文献１】特開２００１−３４５８８２号公報
【特許文献２】特開２００６−６０８５５号公報
【特許文献３】特開２００７−１９８６３号公報
【発明の開示】
【発明が解決しようとする課題】
【００１０】
しかしながら、上記特許文献１〜３には、搬送波の電力を増幅するための増幅器の電源を制御し、通信装置の開閉状態によっても搬送波の出力レベルを一定にし、安定した通信を行うことを可能とすることについては何ら記載もその必要性についても示唆されていない。
【００１１】
本発明は、上記事情に鑑みてなされたものであり、上述した課題である、搬送波の電力を増幅するための増幅器の電源を制御し、通信装置の開閉状態によっても搬送波の出力レベルを一定にし、安定した通信を行うことが可能な通信装置、通信制御方法及び通信制御プログラムを提供することを目的とするものである。
【課題を解決するための手段】
【００１２】
かかる目的を達成するために、本発明は、以下の特徴を有することとする。
【００１３】
本発明にかかる通信装置は、
搬送波の電力を増幅するための増幅器を有する通信装置であって、
通信装置が開状態か閉状態かを判断し、通信装置が閉状態である場合には、増幅器の電源を起動状態に制御し、通信装置が開状態である場合には、増幅器の電源を停止状態に制御する制御手段を有することを特徴とする。
【００１４】
また、本発明にかかる通信装置において、
前記制御手段は、
通信装置が閉状態である場合には、増幅器の電源を起動状態に制御し、当該起動状態の増幅器において電力増幅した搬送波をアンテナから出力し、
通信装置が開状態である場合には、増幅器の電源を停止状態に制御し、当該停止状態の増幅器で減衰した搬送波をアンテナから出力することを特徴とする。
【００１５】
また、本発明にかかる通信装置は、
通信装置が開状態か閉状態かを検出する開閉検出手段を有し、
前記制御手段は、
前記開閉検出手段により通信装置が開状態か閉状態かを判断することを特徴とする。
【００１６】
また、本発明にかかる通信装置において、
前記制御手段による制御は、搬送波の出力を開始する際に行うことを特徴とする。
【００１７】
また、本発明にかかる通信装置において、
前記搬送波は、ＦＭトランスミッタの搬送波であることを特徴とする。
【００１８】
また、本発明にかかる通信制御方法は、
搬送波の電力を増幅するための増幅器を有する通信装置で行う通信制御方法であって、
通信装置が開状態か閉状態かを判断し、通信装置が閉状態である場合には、増幅器の電源を起動状態に制御し、通信装置が開状態である場合には、増幅器の電源を停止状態に制御する制御工程を、前記通信装置が行うことを特徴とする。
【００１９】
また、本発明にかかる通信制御プログラムは、
搬送波の電力を増幅するための増幅器を有する通信装置において実行させる通信制御プログラムであって、
通信装置が開状態か閉状態かを判断し、通信装置が閉状態である場合には、増幅器の電源を起動状態に制御し、通信装置が開状態である場合には、増幅器の電源を停止状態に制御する制御処理を、前記通信装置に実行させることを特徴とする。
【発明の効果】
【００２０】
本発明によれば、搬送波の電力を増幅するための増幅器の電源を制御し、通信装置の開閉状態によっても搬送波の出力レベルを一定にし、安定した通信を行うことが可能となる。
【発明を実施するための最良の形態】
【００２１】
＜通信装置の特徴＞
まず、図１を参照しながら、本実施形態の通信装置の特徴について説明する。
【００２２】
本実施形態における通信装置は、搬送波の電力を増幅するための増幅器（電力増幅器：５に相当）を有する通信装置である。そして、通信装置が開状態か閉状態かを判断し、通信装置が閉状態である場合には、増幅器（５）の電源を起動状態に制御し、通信装置が開状態である場合には、増幅器（５）の電源を停止状態に制御することを特徴とする。
【００２３】
これにより、搬送波の電力を増幅するための増幅器（５）の電源を制御し、通信装置の開閉状態によっても搬送波の出力レベルを一定にし、安定した通信を行うことが可能となる。以下、添付図面を参照しながら、本実施形態の通信装置について詳細に説明する。
【００２４】
＜通信装置の構成＞
まず、図１を参照しながら、本実施形態の通信装置の構成について説明する。
【００２５】
本実施形態における通信装置は、開閉検出部（１）と、通信装置ＣＰＵ（２）と、通信装置制御部（３）と、ＦＭトランスミッタ搬送波出力部（４）と、電力増幅器（５）と、ＦＭトランスミッタ用アンテナ（６）と、を有して構成している。
【００２６】
＜開閉検出部：１＞
開閉検出部（１）は、通信装置が開状態であるか、または、通信装置が閉状態であるかを検出するものである。なお、開閉検出部（１）は、通信装置が開状態か、または、通信装置が閉状態かを特定するための制御信号を通信装置ＣＰＵ（２）に出力することになる。
【００２７】
＜通信装置ＣＰＵ：２＞
通信装置ＣＰＵ（２）は、通信装置全体の制御を行うものである。
【００２８】
なお、本実施形態における通信装置ＣＰＵ（２）は、ＦＭトランスミッタを使用する場合に、搬送波を出力させるための制御信号をＦＭトランスミッタ搬送波出力部（４）に出力し、ＦＭトランスミッタ搬送波出力部（４）から搬送波を出力するように制御する。
【００２９】
また、通信装置ＣＰＵ（２）は、開閉検出部（１）から入力される制御信号を基に、通信装置の状態が開状態か閉状態かを判断し、その開状態か閉状態かに応じた制御信号を通信装置制御部（３）に出力する。
【００３０】
＜通信装置制御部：３＞
通信装置制御部（３）は、通信装置ＣＰＵ（２）から入力される制御信号を基に、電力増幅器（５）の電源のＯＮ／ＯＦＦ状態を制御するものである。
【００３１】
なお、本実施形態における通信装置制御部（３）は、通信装置の状態が閉状態であれば電力増幅器（５）の電源をＯＮ状態（起動状態）に制御し、ＦＭトランスミッタ搬送波出力部（４）から出力される搬送波を電力増幅器（５）において電力増幅させるように制御する。
【００３２】
また、通信装置の状態が開状態であれば電力増幅器（５）の電源をＯＦＦ状態（停止状態）に制御し、ＦＭトランスミッタ搬送波出力部（４）から出力される搬送波を電力増幅器（５）において電力増幅させないように制御する。
【００３３】
これにより、通信装置制御部（３）は、ＦＭトランスミッタ用アンテナ（６）の効率が悪い状態（この場合は、閉状態）であれば、ＦＭトランスミッタ搬送波出力部（４）から出力される搬送波を電力増幅器（５）で電力増幅させるように制御することになる。
【００３４】
また、ＦＭトランスミッタ用アンテナ（６）の効率が良い状態（この場合は、開状態）であれば、ＦＭトランスミッタ搬送波出力部（４）から出力される搬送波を電力増幅器（５）で電力増幅させないように制御することになる。
【００３５】
＜ＦＭトランスミッタ搬送波出力部：４＞
ＦＭトランスミッタ搬送波出力部（４）は、通信装置ＣＰＵ（２）から入力される制御信号を基に、ＦＭトランスミッタの搬送波を出力するものである。
【００３６】
＜電力増幅器：５＞
電力増幅器（５）は、ＦＭトランスミッタ搬送波出力部（４）から出力される搬送波を電力増幅するものである。
【００３７】
なお、本実施形態における電力増幅器（５）は、電力増幅器（５）の電源がＯＮ状態（起動状態）の場合には、ＦＭトランスミッタ搬送波出力部（４）から出力される搬送波を電力増幅し、その電力増幅した搬送波をＦＭトランス用アンテナ（６）に出力することになる。
【００３８】
また、電力増幅器（５）の電源がＯＦＦ状態（停止状態）の場合には、ＦＭトランスミッタ搬送波出力部（４）から出力される搬送波を電力増幅せず、ＦＭトランスミッタ搬送波出力部（４）から出力される搬送波をＦＭトランス用アンテナ（６）に出力することになる。
【００３９】
なお、電力増幅器（５）の電源がＯＦＦ状態（停止状態）の場合には、停止状態の電力増幅器（５）を経由してＦＭトランス用アンテナ（６）に搬送波を出力することになるため、停止状態の電力増幅器（５）において搬送波が減衰し、その減衰した搬送波がＦＭトランス用アンテナ（６）に出力されることになる。
【００４０】
＜ＦＭトランスミッタ用アンテナ：６＞
ＦＭトランスミッタ用アンテナ（６）は、電力増幅器（５）から入力されたＦＭトランスミッタの搬送波を通信装置の外部に出力するものである。
【００４１】
＜通信装置の制御動作＞
次に、図１に示す通信装置の制御動作について説明する。
【００４２】
ＦＭトランスミッタを使用する際に、開閉検出部（１）は、通信装置が開状態であるか、または、通信装置が閉状態であるかを検出し、通信装置が開状態か、または、通信装置が閉状態かを特定するための制御信号を通信装置ＣＰＵ（２）に出力することになる。
【００４３】
通信装置ＣＰＵ（２）は、開閉検出部（１）から入力された制御信号を基に、通信装置が開状態か閉状態かを判断し、その開状態か閉状態かに応じた制御信号を通信装置制御部（３）に出力する。また、通信装置ＣＰＵ（２）は、搬送波を出力させるための制御信号をＦＭトランスミッタ搬送波出力部（４）に出力する。
【００４４】
ＦＭトランスミッタ搬送波出力部（４）は、搬送波の出力を開始するための制御信号が通信装置ＣＰＵ（２）から入力された場合に、搬送波の出力を開始する。
【００４５】
通信装置制御部（３）は、電力増幅器（５）の電源のＯＮ／ＯＦＦを制御するための制御信号が通信装置ＣＰＵ（２）から入力された場合に、その通信装置ＣＰＵ（２）から入力された制御信号を基に、通信装置の状態が閉状態であれば電力増幅器（５）の電源をＯＮ状態（起動状態）に制御し、ＦＭトランスミッタ搬送波出力部（４）から出力される搬送波を電力増幅器（５）において電力増幅させるように制御する。
【００４６】
また、通信装置制御部（３）は、通信装置の状態が開状態であれば電力増幅器（５）の電源をＯＦＦ状態（停止状態）に制御し、ＦＭトランスミッタ搬送波出力部（４）から出力される搬送波を電力増幅器（５）において電力増幅させないように制御する。
【００４７】
電力増幅器（５）は、電力増幅器（５）の電源がＯＮ状態（起動状態）の場合には、ＦＭトランスミッタ搬送波出力部（４）から出力される搬送波を電力増幅し、その電力増幅した搬送波をＦＭトランス用アンテナ（６）に出力し、ＦＭトランス用アンテナ（６）から外部に出力する。
【００４８】
また、電力増幅器（５）の電源がＯＦＦ状態（停止状態）の場合には、ＦＭトランスミッタ搬送波出力部（４）から出力される搬送波を電力増幅せず、ＦＭトランスミッタ搬送波出力部（４）から出力される搬送波を停止状態の電力増幅器（５）において減衰し、その減衰した搬送波をＦＭトランス用アンテナ（６）に出力し、ＦＭトランス用アンテナ（６）から外部に出力する。
【００４９】
次に、図２を参照しながら、本実施形態の通信装置における制御動作について説明する。
【００５０】
まず、通信装置は、ＦＭトランスミッタの使用を開始する場合に、開閉検出部（１）において、通信装置の状態が開状態であるか、または、閉状態であるかを検出する（ステップＳ１）。
【００５１】
通信装置は、開閉検出部（１）において検出した通信装置の状態が開状態か閉状態かを判断し（ステップＳ２）、通信装置の状態が開状態であれば（ステップＳ２／開）、電力増幅器（５）の電源をＯＦＦ状態（停止状態）に制御し、ＦＭトランスミッタ搬送波出力部（４）から出力される搬送波を電力増幅器（５）で電力増幅しないように制御する（ステップＳ３）。
【００５２】
また、通信装置は、通信装置の状態が閉状態であれば（ステップＳ２／閉）、電力増幅器（５）の電源をＯＮ状態（起動状態）に制御し、ＦＭトランスミッタ搬送波出力部（４）から出力される搬送波を電力増幅器（５）で電力増幅するように制御する（ステップＳ４）。
【００５３】
通信装置は、電力増幅器（５）の電源がＯＮ状態（起動状態）の場合には、ＦＭトランスミッタ搬送波出力部（４）から出力される搬送波を電力増幅器（５）において電力増幅し（ステップＳ５）、その電力増幅した搬送波をＦＭトランスミッタ用アンテナ（６）から外部に出力することになる（ステップＳ６）。
【００５４】
また、通信装置は、電力増幅器（５）の電源がＯＦＦ状態（停止状態）の場合には、ＦＭトランスミッタ搬送波出力部（４）から出力される搬送波を停止状態の電力増幅器（５）において減衰し、その減衰した搬送波をＦＭトランスミッタ用アンテナ（６）から外部に出力することになる（ステップＳ６）。
【００５５】
このように、本実施形態における通信装置は、通信装置の状態が開状態か閉状態かを判断し、通信装置の状態が閉状態であれば、ＦＭトランスミッタ用アンテナ（６）の効率が悪い状態と判断し、電力増幅器（５）の電源をＯＮ状態（起動状態）に制御し、ＦＭトランスミッタ搬送波出力部（４）から出力される搬送波を電力増幅器（５）で電力増幅させるように制御する。
【００５６】
また、通信装置の状態が開状態であれば、ＦＭトランスミッタ用アンテナ（６）の効率が良い状態と判断し、電力増幅器（５）の電源をＯＦＦ状態（停止状態）に制御し、ＦＭトランスミッタ搬送波出力部（４）から出力される搬送波を停止状態の電力増幅器（５）において減衰するように制御する。
【００５７】
これにより、ＦＭトランスミッタ用アンテナ（６）の効率の差による搬送波の出力レベルの差分が無くなり、ＦＭトランスミッタの搬送波の出力レベルを、通信装置の開閉状態によらず一定にすることが可能となるため、安定した通信を行うことが可能となる。
【００５８】
また、ＦＭトランスミッタの搬送波の出力レベルが通信装置の開閉状態によらず一定となり、不要輻射の量も一定となるため、通信装置の開閉状態によらず法規定の通信を行うように制御することが可能となる。
【００５９】
なお、上述する実施形態は、本発明の好適な実施形態であり、上記実施形態のみに本発明の範囲を限定するものではなく、本発明の要旨を逸脱しない範囲において当業者が上記実施形態の修正や代用を行い、種々の変更を施した形態を構築することは可能である。
【００６０】
例えば、上述した実施形態における通信装置における制御動作は、ハードウェア、または、ソフトウェア、あるいは、両者の複合構成によって実行することも可能である。
【００６１】
なお、ソフトウェアによる処理を実行する場合には、処理シーケンスを記録したプログラムを、専用のハードウェアに組み込まれているコンピュータ内のメモリにインストールして実行させるか、あるいは、各種処理が実行可能な汎用コンピュータにプログラムをインストールして実行させることが可能である。
【００６２】
例えば、プログラムは、記録媒体としてのハードディスクやＲＯＭ（Read Only Memory）に予め記録しておくことが可能である。あるいは、プログラムは、フロッピー（登録商標）ディスク、ＣＤ−ＲＯＭ（Compact Disc Read Only Memory）、ＭＯ（Magneto optical）ディスク、ＤＶＤ（Digital Versatile Disc)、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【００６３】
なお、プログラムは、上述したようなリムーバブル記録媒体からコンピュータにインストールする他、ダウンロードサイトから、コンピュータに無線転送したり、ＬＡＮ（Local Area Network）、インターネットといったネットワークを介して、コンピュータに有線で転送したりし、コンピュータでは、転送されてきたプログラムを受信し、内蔵するハードディスク等の記録媒体にインストールすることが可能である。
【００６４】
また、上記実施形態で説明した処理動作に従って時系列的に実行されるのみならず、処理を実行する装置の処理能力、あるいは、必要に応じて並列的にあるいは個別に実行するように構築することも可能である。
【産業上の利用可能性】
【００６５】
本発明にかかる通信装置、通信制御方法及び通信制御プログラムは、ＦＭトランスミッタ機能を搭載した機器に適用可能である。
【図面の簡単な説明】
【００６６】
【図１】本実施形態の通信装置の構成を示す図である。
【図２】本実施形態の通信装置における一連の制御動作を示すフローチャートである。
【図３】本発明と関連する通信装置の構成を示す図である。
【符号の説明】
【００６７】
１    開閉検出部
２    通信装置ＣＰＵ
３    通信装置制御部
４    ＦＭトランスミッタ搬送波出力部
５    電力増幅部
６    ＦＭトランスミッタ用アンテナ
【図１】
2008271139.tif 000003
【図２】
2008271139.tif 000004
【図３】
2008271139.tif 000005